(57)【要約】【課題】複写機の搬送時にスキャナ装置が上下方向に移動し変形することを阻止して支持する支持部材を、設置時においてキャスタ固定部材として別途利用できるようにした複写機を提供することにある。【解決手段】複写機１は、キャスタ４０により移動自在とされた複写機本体１ａに、画像形成装置２０と、画像形成装置２０の上方に側方に開放された排紙空間３０を形成して支持されたスキャナ装置１０と、搬送時に画像形成装置２０とスキャナ装置１０との間に着脱自在に装着され、設置時において前記装着を解消し、キャスタ４０の移動を阻止するように装着されて使用されるスキャナ支持部材５０とを有する。【選択図】  図１
2016143031.tif 000002
【特許請求の範囲】
【請求項１】
キャスタにより移動自在とされた複写機本体に、画像形成装置と、前記画像形成装置の上方に側方に開放された排紙空間を形成して支持されたスキャナ装置と、搬送時に前記画像形成装置と前記スキャナ装置との間に着脱自在に装着され、設置時において前記装着を解消し、前記キャスタの移動を阻止するように装着されて使用される支持部材とを有することを特徴とする複写機。
【請求項２】
請求項１に記載の複写機において、
前記支持部材は同一形状の小連結体がバインダで複数連結されていることを特徴とする複写機。
【請求項３】
請求項２に記載の複写機において、
前記バインダはねじであることを特徴とする複写機。
【請求項４】
請求項２又は請求項３に記載の複写機において、
前記キャスタは、前記小連結体によって前記画像形成装置の略中央部に向かって固定されることを特徴とする複写機。
【請求項５】
請求項２ないし請求項４のいずれか１項に記載の複写機において、
前記小連結体は、平板の両側に同一方向に立てられたリブを備えた溝型の本体部と、前記平板の一方向に板厚だけ変位され、ねじ孔が形成された舌片と、前記平板の他方向には他の小連結体の前記舌片の形状を受ける切欠部とを有し、前記切欠部近傍の前記平板には他の小連結体が差し込まれたときに前記舌片のねじ孔と一致する位置に孔が設けられていることを特徴とする複写機。
【請求項６】
請求項２ないし請求項５のいずれか１項に記載の複写機において、
前記複写機本体の底面には、前記キャスタを固定するため、前記支持部材の前記小連結体を着脱自在に取り付けることができる固定部材を有することを特徴とする複写機。
【請求項７】
請求項６に記載の複写機において、
前記固定部材は、前記キャスタよりも前記複写機本体の外側の４隅に固定され、前記小連結体の前記孔に合わせたねじ孔を有し、前記複写機本体の底面から床面に向かって前記複写機本体の外側に向け前記本体部を受ける傾斜面を有することを特徴とする複写機。
【請求項８】
複写機の搬送時には、複写機本体における画像形成装置とスキャナ装置との間に着脱自在に装着され、設置時には分割されてキャスタの移動を阻止することを特徴とする支持部材。
【請求項９】
請求項８に記載の支持部材において、同一形状のものが連結されて構成されていることを特徴とする支持部材。
【発明の詳細な説明】
【技術分野】
【０００１】
本発明は、複写機及びその支持部材に関するものである。
【背景技術】
【０００２】
画像形成装置の上方にスキャナ装置が側方に開放された排紙空間を形成して支持された複写機において、搬送時における前記スキャナ装置の変形を阻止するため、前記画像形成装置と前記スキャナ装置との間に支持部材を設けたものが知られている。
【０００３】
この支持部材は、複写機の設置時には外されるため、所定の収納位置に置かれたり、時に紛失したり、廃棄されてしまうこともあった。
そこで、従来から、この支持部材を搬送時のみならず、複写機の設置時において別途利用する方法が考えられてきた。例えば、スキャナ装置の支持部材として使用した緩衝材（発泡材）を、複写機の底面と床面の間に挟み、キャスタの移動を阻止することが既に知られている（例えば、特許文献１）。
【発明の概要】
【発明が解決しようとする課題】
【０００４】
ところで、特許文献１に開示の方法では、複写機の搬送時にスキャナ装置の上方移動を阻止することができない上に、複写機を設置後、緩衝材がへたり、設置当初の機能が持続できない問題があった。
【０００５】
本発明の目的は、これらの問題点を解決するため、複写機の搬送時にスキャナ装置が上下方向に移動し変形することを阻止して支持する支持部材を、設置時においてキャスタ固定部材として別途利用できるようにした複写機を提供することにある。
【課題を解決するための手段】
【０００６】
上述した課題を解決するために、本発明の複写機は、キャスタにより移動自在とされた複写機本体に、画像形成装置と、前記画像形成装置の上方に側方に開放された排紙空間を形成して支持されたスキャナ装置と、搬送時に前記画像形成装置と前記スキャナ装置との間に着脱自在に装着され、設置時において前記装着を解消し、前記キャスタの移動を阻止するように装着されて使用される支持部材とを有することを特徴とする。
【発明の効果】
【０００７】
本発明によれば、複写機を設置後継続使用しても、紛失したり、廃棄したりすることなく、複写機の搬送時にはスキャナ装置の変形を阻止し支持する支持部材を、設置時においてキャスタ固定部材として、別途利用できる。
【図面の簡単な説明】
【０００８】
【図１】本発明に係る実施例１の複写機の全体斜視図である。
【図２】図１に示す支持部材の拡大斜視図である。
【図３】図２に示す支持部材を分割してキャスタに取り付けた複写機底部の拡大図であり、（ａ）は支持部材を分割してキャスタに取り付ける前、（ｂ）はキャスタに取り付けた後を示す図である。
【図４】複写機の底面図である。
【発明を実施するための形態】
【実施例】
【０００９】
（実施例１）
以下に、本発明に係る複写機の実施例を示す図面を参照しつつ本発明を説明する。
複写機１は、図１に示すように、複写機本体１ａにはスキャナ装置１０と、画像形成装置２０と、排紙装置７０によって排出される排紙空間３０とを備え、複写機本体１ａを支持し移動自在とするキャスタ４０とを備えて概略構成されている。
複写機１は、原稿をスキャナ装置１０において読み取り、その読み取られた画像を画像形成装置２０において形成し、用紙に印字して、排紙装置７０によって排紙空間３０に排出して印刷する。
なお、複写機１は、プリンタ、ファクシミリ機等を組み合わせた複合機であってもよい。
【００１０】
スキャナ装置１０は、画像形成装置２０の上方にフレーム１１によって支持されている。
排紙空間３０は、スキャナ装置１０と画像形成装置２０との間に側方に開放されて形成される。すなわち、排紙空間３０は、フレーム１１及び排紙装置７０が設けられている以外の部分が開放されている。このような構造になっているのは、複写機１をコンパクトにし、使用時の作業性を良くするためである。
【００１１】
複写機１の設置時には、上記スキャナ装置１０の一隅はフレーム１１によって支持されない構造であっても、強度的に支障はない。
しかしながら、複写機１の搬送時には、搬送の際に受ける衝撃や振動により、スキャナ装置１０やフレーム１１が変形し、排紙空間３０の間隙に変化が生じるおそれがある。そこで、複写機１の搬送時には、スキャナ支持部材５０（支持部材）がスキャナ装置１０と画像形成装置２０との間に着脱自在に装着される。
ここで、スキャナ支持部材５０の取り付け位置は、排紙空間３０として側方に開放された画像形成装置２０及びスキャナ装置１０の角の近傍に設けることが好ましい。取り付けに当たっては、例えば、スキャナ装置外枠と画像形成装置外枠にねじ孔を設け、そこに、スキャナ支持部材５０をねじ留めする。
【００１２】
複写機１の設置時には、スキャナ装置１０と画像形成装置２０との間におけるスキャナ支持部材５０の装着を解消し、排紙空間３０から排出された用紙を取り出しやすくする。取り外されたスキャナ支持部材５０は、後述するように、本実施例ではキャスタ４０の移動を阻止するように装着されて使用される。
【００１３】
スキャナ支持部材５０は、プレス、板金、鋳物等で製作される金属製材料である。なお、スキャナ支持部材５０を製造する材料としては、スキャナ装置１０を支えることができる強度と耐久性を有する剛性のある材料であればよく、樹脂であってもよい。
【００１４】
スキャナ支持部材５０は、同一形状の小連結体５１が複数連結して面一に構成される。本実施例では、図２に示すとおり、小連結体５１は４個が連結して構成されている。このスキャナ支持部材５０は、複写機１の設置時にキャスタ４０の首振りを抑制し、互いの走行移動を阻止するために、少なくとも４つの小連結体５１に分割される。
小連結体５１が同一形状であることによって、同一の型によって製造ができ無駄にならず、部品の管理もしやすいといったメリットがある。
【００１５】
小連結体５１は、本体部５１ｂとその先端にねじ孔５１ｃが形成された舌片５１ａとから構成される。本体部５１ｂは、平板５１ｆの両側に同一方向に立てられたリブ５１ｇを備えた溝型形状であり、平板５１ｆの一方向に板厚だけ変位（ジョグル）され、平板５１ｆの他方向には他の小連結体５１の舌片５１ａの形状を受ける切欠部５１ｅを有する。本体部５１ｂの切欠部５１ｅの近傍の平板５１ｆには、他の小連結体５１が差し込まれたときに、舌片５１ａのねじ孔５１ｃと一致する位置に孔５１ｄが設けられている。
【００１６】
本実施例のスキャナ支持部材５０は、小連結体５１の舌片５１ａに形成されるねじ孔５１ｃと、別の小連結体５１の本体部５１ｂに形成される孔５１ｄとの位置を合わせ、ねじ５２（バインダ）によって固定し連結され組み立てられる（図２）。ねじ５２として、ツマミねじを用いれば、工具が不要であり、容易に装着し、分解することが可能となる。ツマミねじに限らず、コインねじなどを用いて固定してもよい。
【００１７】
小連結体５１の連結における固定方法としては、ねじ５２によらなくとも、搬送時の振動でスキャナ支持部材５０が壊れない程度の強度を有する固定方法であればよい。例えば、舌片５１ａに爪部を設け本体部５１ｂにその爪部がかかる構造、バンド、磁石等のバインダによって固定する構造であってもよい。
【００１８】
次に、複写機１の搬送を終え、設置した時に、スキャナ装置１０と画像形成装置２０との間におけるスキャナ支持部材５０の装着を解消し、複数の小連結体５１に分割して、複写機本体１ａの底面にあるキャスタ４０に取り付けた状態を説明する（図３、図４）。
【００１９】
小連結体５１は、複写機本体１ａの外側に向けた傾斜面６１を有する支持部材固定部６０（固定部材）に本体部５１ｂを重ね合わせ、ねじ５２を用いて固定される。
より具体的には、支持部材固定部６０は、複写機本体１ａの底面に、キャスタ４０よりも複写機本体１ａ外側の４隅に固定されている。そして、複写機本体１ａの底面から床面に斜め下方にかつ複写機本体１ａの中心に向かって複写機本体１ａから延在され、複写機本体１ａの外側に向け本体部５１ｂを受ける傾斜面６１を有する。その傾斜面６１には、小連結体５１がねじ留めされるねじ孔６３が設けられている。また、支持部材固定部６０は、突出部６２を有し、この突出部６２は、小連結体５１の切欠部５１ｅと係合する。
【００２０】
このように支持部材固定部６０に傾斜面６１を設けているのは、小連結体５１をねじ５２で固定する際にねじ孔の位置を確認しやすくし、また、ねじ５２を回しやすいように視認性と操作性を高めることにある。
【００２１】
本実施例と異なり、小連結体５１の連結における固定方法としてねじを用いなかった場合には、別途ねじを用意して固定する。あるいは、支持部材固定部６０の形状として、小連結体５１の本体部５１ｂが嵌合し連結するように凹凸を設けることで固定してもよい。
【００２２】
キャスタ４０は、支柱部４１と、車輪部４２とから成り立つ。本実施例の車輪部４２は、支柱部４１からオフセットした状態で取り付けられている。支柱部４１を中心に車輪部４２が回転する首振り構造となっており、この首振り構造によって複写機１を移動させるときに方向自在に操ることが可能となっている。
車輪部４２は、支柱部４１を挟んで両サイドに車輪を配置した構成となっており、両車輪の間には隙間が形成され、両車輪は独立して回転する。
【００２３】
小連結体５１の舌片５１ａを車輪部４２の両車輪間の隙間に挿入することで、キャスタ４０の首振りを固定する。
支柱部４１を中心に車輪部４２が回転しようとすると、舌片５１ａが両車輪の内側と接触して回転を規制する。
本実施例では、キャスタ４０が２輪タイプであるが、１輪タイプの場合は、それに対応した形状の舌片５１ａを有する小連結体５１を用いる。
【００２４】
また、キャスタ４０の首振りは、支持部材固定部６０と小連結体５１の構造によっても固定される。すなわち、傾斜面６１の先端側はリブ５１ｇの内側に嵌合する形状となっていることに加え、突出部６２と切欠部５１ｅとが係合する構造であるため、回動しないようになっている。
【００２５】
次に複写機１の底部を下面から見た図４を用いて、キャスタ４０の首振りを小連結体５１によって固定し、複写機１が移動しない状態を説明する。
複写機１の底部の４隅にあるキャスタ４０の車輪部４２は、各々が複写機１の略中央部を向くように固定される。このように互いのキャスタ４０が移動することを阻止し合う状態に固定することで、複写機１が自在に動くことを規制する。
【００２６】
複写機１に矢印Ａ方向又はＢ方向の外力が加わった場合、キャスタ４０ｃ及びキャスタ４０ｄがストッパの役割を果たす。矢印Ｃ方向又はＤ方向の外力が加わった場合には、キャスタ４０ａ及びキャスタ４０ｂがストッパの役割を果たす。矢印Ｅ方向、Ｆ方向、Ｇ方向又はＨ方向にそれぞれ外力が加わった場合には、キャスタ４０ａないし４０ｄがそれぞれストッパの役割を果たし複写機１が自在に動くことを規制する。
【００２７】
このように、搬送時に使用したスキャナ支持部材５０を、複写機１の設置時にキャスタ固定部材として使用することにより、別途専用のキャスタ固定部材が不要となり、部品点数を増加させず、製品コストを抑制できる。
また、スキャナ支持部材５０は、強度と耐久性を有する金属製材料や樹脂等剛性のある材料を使用することにより、発泡性を有する緩衝材とは異なり、使用を継続しても機能低下を防ぎ、安定した固定手段を提供することができる。
【００２８】
さらに、複写機１の設置後、再び搬送する必要が生じた際には、小連結体５１をキャスタ４０から取り外し、連結して一本としたスキャナ支持部材５０を、スキャナ装置１０と画像形成装置２０との間に取り付けることができ、再利用が可能である。
【００２９】
以上、本発明の実施例を図面により詳述してきたが、上記実施例は本発明の例示であり、本発明は上記実施例の構成にのみ限定されるものではない。本発明の要旨を逸脱しない範囲の設計変更等があっても、それは本発明に含まれるものである。
【符号の説明】
【００３０】
１…複写機
１ａ…複写機本体
１０…スキャナ装置
２０…画像形成装置
３０…排紙空間
４０…キャスタ
５０…スキャナ支持部材（支持部材）
５１…小連結体
５１ａ…舌片
５１ｂ…本体部
５１ｃ…ねじ孔
５１ｄ…孔
５１ｅ…切欠部
５１ｆ…平板
５１ｇ…リブ
５２…ねじ（バインダ）
６０…支持部材固定部（固定部材）
６１…傾斜面
６３…ねじ孔
【先行技術文献】
【特許文献】
【００３１】
【特許文献１】特開２００５−３０６１２７号公報
【図１】
2016143031.tif 000003
【図２】
2016143031.tif 000004
【図３】
2016143031.tif 000005
【図４】
2016143031.tif 000006